(57)【要約】【課題】複数のトランスポート・プロトコルを併存させることができるようにする。【解決手段】受信装置は、所定の規格で規定されたトランスポート層上の複数のトランスポート・プロトコルのうち、特定のトランスポート・プロトコルを利用したサービスのストリームが伝送されているかどうかを示す伝送情報であって、所定の規格に対応した物理層のフレームに配置される第１の制御情報に含められる伝送情報を受信し、伝送情報に応じて取得される、特定のトランスポート・プロトコルに対応した第２の制御情報に基づいて、特定のトランスポート・プロトコルを利用したサービスのストリームを処理する各部の動作を制御する。本技術は、例えば、IP伝送方式に対応したテレビ受像機に適用することができる。【選択図】図２３
2016208161.tif 000002
【特許請求の範囲】
【請求項１】
所定の規格で規定されたトランスポート層上の複数のトランスポート・プロトコルのうち、特定のトランスポート・プロトコルを利用したサービスのストリームが伝送されているかどうかを示す伝送情報を生成する生成部と、
前記伝送情報を、前記所定の規格に対応した物理層のフレームに配置される第１の制御情報に含めて送信する送信部と
を備える送信装置。
【請求項２】
前記伝送情報は、前記特定のトランスポート・プロトコルに対応した第２の制御情報が伝送されているかどうかを示す情報を含む
請求項１に記載の送信装置。
【請求項３】
前記物理層では、グルーピングすることが可能な１又は複数のPLP(Physical Layer Pipe)ごとにデータが伝送されており、
前記伝送情報は、前記PLPのグループであるPLPグループを識別するための情報をさらに含む
請求項２に記載の送信装置。
【請求項４】
各PLPは、１又は複数の前記PLPグループに属することができる
請求項３に記載の送信装置。
【請求項５】
前記所定の規格は、IP(Internet Protocol)伝送方式に対応しており、
前記第２の制御情報は、IPパケットを格納可能な伝送パケットのペイロードに配置されて伝送される
請求項４に記載の送信装置。
【請求項６】
前記所定の規格は、IP伝送方式に対応しており、
前記第２の制御情報は、IPパケットに含まれるUDP(User Datagram Protocol)パケットに配置されて伝送される
請求項４に記載の送信装置。
【請求項７】
前記所定の規格は、ATSC(Advanced Television Systems Committee)3.0であり、
前記複数のトランスポート・プロトコルは、ROUTE(Real-Time Object Delivery over Unidirectional Transport)、及び、MMT(MPEG Media Transport)である
請求項１に記載の送信装置。
【請求項８】
前記第２の制御情報は、前記ROUTEに対応したシグナリング情報、及び、前記MMTに対応したシグナリング情報を含む
請求項７に記載の送信装置。
【請求項９】
前記第１の制御情報は、ブートストラップと、プリアンブルと、データ部から構成される前記物理層のフレームにおける、前記ブートストラップ又は前記プリアンブルに配置される
請求項７に記載の送信装置。
【請求項１０】
送信装置の送信方法において、
前記送信装置が、
所定の規格で規定されたトランスポート層上の複数のトランスポート・プロトコルのうち、特定のトランスポート・プロトコルを利用したサービスのストリームが伝送されているかどうかを示す伝送情報を生成し、
前記伝送情報を、前記所定の規格に対応した物理層のフレームに配置される第１の制御情報に含めて送信する
ステップを含む送信方法。
【請求項１１】
所定の規格で規定されたトランスポート層上の複数のトランスポート・プロトコルのうち、特定のトランスポート・プロトコルを利用したサービスのストリームが伝送されているかどうかを示す伝送情報であって、前記所定の規格に対応した物理層のフレームに配置される第１の制御情報に含められる前記伝送情報を受信する受信部と、
前記伝送情報に応じて取得される、前記特定のトランスポート・プロトコルに対応した第２の制御情報に基づいて、前記特定のトランスポート・プロトコルを利用したサービスのストリームを処理する各部の動作を制御する制御部と
を備える受信装置。
【請求項１２】
前記伝送情報は、前記第２の制御情報が伝送されているかどうかを示す情報を含む
請求項１１に記載の受信装置。
【請求項１３】
前記物理層では、グルーピングすることが可能な１又は複数のPLPごとにデータが伝送されており、
前記伝送情報は、前記PLPのグループであるPLPグループを識別するための情報をさらに含む
請求項１２に記載の受信装置。
【請求項１４】
各PLPは、１又は複数の前記PLPグループに属することができる
請求項１３に記載の受信装置。
【請求項１５】
前記所定の規格は、IP伝送方式に対応しており、
前記第２の制御情報は、IPパケットを格納可能な伝送パケットのペイロードに配置されて伝送される
請求項１４に記載の受信装置。
【請求項１６】
前記所定の規格は、IP伝送方式に対応しており、
前記第２の制御情報は、IPパケットに含まれるUDPパケットに配置されて伝送される
請求項１４に記載の受信装置。
【請求項１７】
前記所定の規格は、ATSC3.0であり、
前記複数のトランスポート・プロトコルは、ROUTE、及び、MMTである
請求項１１に記載の受信装置。
【請求項１８】
前記第２の制御情報は、前記ROUTEに対応したシグナリング情報、及び、前記MMTに対応したシグナリング情報を含む
請求項１７に記載の受信装置。
【請求項１９】
前記第１の制御情報は、ブートストラップと、プリアンブルと、データ部から構成される前記物理層のフレームにおける、前記ブートストラップ又は前記プリアンブルに配置される
請求項１７に記載の受信装置。
【請求項２０】
受信装置の受信方法において、
前記受信装置が、
所定の規格で規定されたトランスポート層上の複数のトランスポート・プロトコルのうち、特定のトランスポート・プロトコルを利用したサービスのストリームが伝送されているかどうかを示す伝送情報であって、前記所定の規格に対応した物理層のフレームに配置される第１の制御情報に含められる前記伝送情報を受信し、
前記伝送情報に応じて取得される、前記特定のトランスポート・プロトコルに対応した第２の制御情報に基づいて、前記特定のトランスポート・プロトコルを利用したサービスのストリームを処理する各部の動作を制御する
ステップを含む受信方法。
【発明の詳細な説明】
【技術分野】
【０００１】
本技術は、送信装置、送信方法、受信装置、及び、受信方法に関し、特に、複数のトランスポート・プロトコルを併存させることができるようにした送信装置、送信方法、受信装置、及び、受信方法に関する。
【背景技術】
【０００２】
例えば、次世代地上放送規格の１つであるATSC(Advanced Television Systems Committee)3.0では、データ伝送に、TS(Transport Stream)パケットではなく、IP/UDPパケット、すなわち、UDP(User Datagram Protocol)パケットを含むIP(Internet Protocol)パケットを用いることが決定されている。また、ATSC3.0以外のデジタル放送の規格でも、将来的に、IPパケットを用いることが期待されている(例えば、非特許文献１参照)。
【先行技術文献】
【非特許文献】
【０００３】
【非特許文献１】「ARIB STD-B60  1.1版」、一般社団法人 電波産業会
【発明の概要】
【発明が解決しようとする課題】
【０００４】
ところで、ATSC3.0等のデジタル放送の規格においては、複数のトランスポート・プロトコルが併存することがあるため、複数のトランスポート・プロトコルを併存させるための技術が要請されている。
【０００５】
本技術はこのような状況に鑑みてなされたものであり、複数のトランスポート・プロトコルを併存させることができるようにするものである。
【課題を解決するための手段】
【０００６】
本技術の第１の側面の送信装置は、所定の規格で規定されたトランスポート層上の複数のトランスポート・プロトコルのうち、特定のトランスポート・プロトコルを利用したサービスのストリームが伝送されているかどうかを示す伝送情報を生成する生成部と、前記伝送情報を、前記所定の規格に対応した物理層のフレームに配置される第１の制御情報に含めて送信する送信部とを備える送信装置である。
【０００７】
本技術の第１の側面の送信装置は、独立した装置であってもよいし、１つの装置を構成している内部ブロックであってもよい。また、本技術の第１の側面の送信方法は、上述した本技術の第１の側面の送信装置に対応する送信方法である。
【０００８】
本技術の第１の側面の送信装置、及び、送信方法においては、所定の規格で規定されたトランスポート層上の複数のトランスポート・プロトコルのうち、特定のトランスポート・プロトコルを利用したサービスのストリームが伝送されているかどうかを示す伝送情報が生成され、前記伝送情報が、前記所定の規格に対応した物理層のフレームに配置される第１の制御情報に含めて送信される。
【０００９】
本技術の第２の側面の受信装置は、所定の規格で規定されたトランスポート層上の複数のトランスポート・プロトコルのうち、特定のトランスポート・プロトコルを利用したサービスのストリームが伝送されているかどうかを示す伝送情報であって、前記所定の規格に対応した物理層のフレームに配置される第１の制御情報に含められる前記伝送情報を受信する受信部と、前記伝送情報に応じて取得される、前記特定のトランスポート・プロトコルに対応した第２の制御情報に基づいて、前記特定のトランスポート・プロトコルを利用したサービスのストリームを処理する各部の動作を制御する制御部とを備える受信装置である。
【００１０】
本技術の第２の側面の受信装置は、独立した装置であってもよいし、１つの装置を構成している内部ブロックであってもよい。また、本技術の第２の側面の受信方法は、上述した本技術の第２の側面の受信装置に対応する受信方法である。
【００１１】
本技術の第２の側面の受信装置、及び、受信方法においては、所定の規格で規定されたトランスポート層上の複数のトランスポート・プロトコルのうち、特定のトランスポート・プロトコルを利用したサービスのストリームが伝送されているかどうかを示す伝送情報であって、前記所定の規格に対応した物理層のフレームに配置される第１の制御情報に含められる前記伝送情報が受信され、前記伝送情報に応じて取得される、前記特定のトランスポート・プロトコルに対応した第２の制御情報に基づいて、前記特定のトランスポート・プロトコルを利用したサービスのストリームを処理する各部の動作が制御される。
【発明の効果】
【００１２】
本技術の第１の側面、及び、第２の側面によれば、複数のトランスポート・プロトコルを併存させることができる。
【００１３】
なお、ここに記載された効果は必ずしも限定されるものではなく、本開示中に記載されたいずれかの効果であってもよい。
【図面の簡単な説明】
【００１４】
【図１】本技術を適用した伝送システムの一実施の形態の構成を示す図である。
【図２】複数のトランスポート・プロトコルに対応するための方式を説明する図である。
【図３】本技術記述子のシンタックスの例を示す図である。
【図４】運用例１−１のシステムパイプモデルを示す図である。
【図５】運用例１−１の本技術記述子の記述例を示す図である。
【図６】運用例１−２のシステムパイプモデルを示す図である。
【図７】運用例１−２の本技術記述子の記述例を示す図である。
【図８】運用例２−１のシステムパイプモデルを示す図である。
【図９】運用例２−１の本技術記述子の記述例を示す図である。
【図１０】運用例２−２のシステムパイプモデルを示す図である。
【図１１】運用例２−２の本技術記述子の記述例を示す図である。
【図１２】ATSC3.0に対応したレイヤ構造の概念を説明する図である。
【図１３】L1-postシグナリングのシンタックスの例を示す図である。
【図１４】ブートストラップの構造を示す図である。
【図１５】ブートストラップシンボル１のシンタックスの例を示す図である。
【図１６】ブートストラップシンボル２のシンタックスの例を示す図である。
【図１７】ブートストラップシンボル３のシンタックスの例を示す図である。
【図１８】ブートストラップの構造を示す図である。
【図１９】ブートストラップシンボル４のシンタックスの例を示す図である。
【図２０】ブートストラップシンボル５のシンタックスの例を示す図である。
【図２１】ブートストラップシンボル６７のシンタックスの例を示す図である。
【図２２】送信装置の構成例を示す図である。
【図２３】受信装置の構成例を示す図である。
【図２４】送信処理を説明するフローチャートである。
【図２５】受信処理を説明するフローチャートである。
【図２６】コンピュータの構成例を示す図である。
【発明を実施するための形態】
【００１５】
以下、図面を参照しながら本技術の実施の形態について説明する。なお、説明は以下の順序で行うものとする。
【００１６】
１．システムの構成
２．本技術の概要
３．運用例
（１）運用例１−１：ROUTEとMMTのシグナリング情報が別のPLPで伝送される場合
（２）運用例１−２：ROUTEとMMTのシグナリング情報が共通のPLPで伝送される場合
（３）運用例２−１：IP/UDP上のROUTEとMMTのシグナリング情報が別のPLPで伝送される場合
（４）運用例２−２：IP/UDP上のROUTEとMMTのシグナリング情報が共通のPLPで伝送される場合
４．シグナリングの伝送方法
５．各装置の構成
６．各装置で実行される処理の流れ
７．変形例
８．コンピュータの構成
【００１７】
＜１．システムの構成＞
【００１８】
図１は、本技術を適用した伝送システムの一実施の形態の構成を示す図である。なお、システムとは、複数の装置が論理的に集合した物をいう。
【００１９】
図１において、伝送システム１は、送信装置１０と受信装置２０から構成される。この伝送システム１では、ATSC3.0等のデジタル放送の規格に準拠したデータ伝送が行われる。
【００２０】
送信装置１０は、テレビ番組等のコンテンツの送信を行う。すなわち、送信装置１０は、コンテンツを構成するビデオやオーディオ、字幕等(のコンポーネント)のストリームを、デジタル放送信号として、伝送路３０を介して送信(伝送)する。
【００２１】
受信装置２０は、送信装置１０から伝送路３０を介して送信されてくる、テレビ番組等のコンテンツを受信して出力する。すなわち、受信装置２０は、送信装置１０から送信されるデジタル放送信号を受信して、コンテンツを構成するビデオやオーディオ、字幕等(のコンポーネント)のストリームを取得して処理し、コンテンツの映像や音声を出力する。
【００２２】
＜２．本技術の概要＞
【００２３】
ところで、デジタル放送の規格では、図２に示すように、ROUTE(Real-Time Object Delivery over Unidirectional Transport)、MMT(MPEG Media Transport)、又はMPEG2-TS(Transport Stream)等のトランスポート・プロトコルが併存して運用される場合がある。
【００２４】
ここで、ROUTEは、バイナリファイルを一方向でマルチキャスト転送するのに適したプロトコルであるFLUTE(File Delivery over Unidirectional Transport)を拡張したプロトコルである。また、MMTは、IP(Internet Protocol)上で用いられるトランスポート方式であり、制御情報によりIPアドレスやURL(Uniform Resource Locator)を設定することで、映像や音声等のデータを参照することができる。MPEG2-TSは、MPEG2形式のデータを送受信するためのトランスポート方式であり、映像や音声等のデータをまとめて１つのストリームとして取り扱うことができる。
【００２５】
これらのトランスポート・プロトコルは、固有のデータフローや、サービスシグナリングにより構成されるため、放送局側(の送信装置１０)では、サービスを提供する場合に、ROUTEやMMT等の複数のトランスポート・プロトコルの中から、特定のトランスポート・プロトコルを選択して使用することになる。そのため、送信装置１０は、受信装置２０に対して、複数のトランスポート・プロトコルのうち、特定のトランスポート・プロトコルを利用したサービスのストリームが伝送されているかどうかを示す情報(以下、伝送情報ともいう)を伝送する必要がある。
【００２６】
例えば、ATSC3.0においては、トランスポート・プロトコルとして、ROUTEとMMTが併存することになっている。この場合において、サービスのストリームが、ROUTEを利用したサービス(以下、ROUTEサービスともいう)のストリームであるのか、あるいは、MMTを利用したサービス(以下、MMTサービスともいう)のストリームであるのかを、伝送情報により通知する必要がある。
【００２７】
このように、複数のトランスポート・プロトコルが併存して運用される場合に、各サービスのストリームが、どのトランスポート・プロトコルを利用したサービスのストリームであるのかを適切に通知して、複数のトランスポート・プロトコルを併存させるための技術が要請されている。
【００２８】
そこで、本技術では、このような要請に対応するための伝送情報を含む記述子(以下、本技術記述子ともいう)を定義して、物理層フレームに配置することで、複数のトランスポート・プロトコルを併存させることができるようにする方式を提案する。例えば、ATSC3.0においては、トランスポート・プロトコルとして、ROUTEとMMTが併存されているので、以下、ROUTEとMMTが併存されている場合を一例に説明する。
【００２９】
なお、ROUTEサービスで用いられるシグナリング情報と、MMTサービスで用いられるシグナリング情報とは、異なっている。具体的には、ROUTEサービスにおいては、LLS(Link Layer Signaling)シグナリング情報と、SLS(Service Layer Signaling)シグナリング情報を規定して、先行して取得されるLLSシグナリング情報に記述される情報を用いて、ROUTEサービスごとのSLSシグナリング情報が取得されるようにしている。
【００３０】
ここで、LLSシグナリング情報としては、例えば、FIT(Fast Information Table)，EAD(Emergency Alerting Description)，RRD(Region Rating Description)等のメタデータが含まれる。FITは、ROUTEサービスの選局に必要な情報など、放送ネットワークにおけるストリームやサービスの構成を示す情報を含む。EADは、緊急警報に関する情報を含む。RRDは、レーティングに関する情報を含む。
【００３１】
SLSシグナリング情報としては、例えば、USD(User Service Description)，MPD(Media Presentation Description)，LSID(LCT Session Instance Description)等のメタデータが含まれる。USDは、他のメタデータの取得先などの情報を含む。MPDは、コンポーネントのストリームの再生を管理するための制御情報である。LSIDは、ROUTEプロトコルの制御情報である。
【００３２】
また、MMTサービスにおいても、MMTサービスに関するシグナリング情報(以下、MMTシグナリング情報という)が規定されている。
【００３３】
なお、図２に示すように、本出願人は、IPパケットを伝送するGenericパケットのヘッダ、Genericパケットの拡張ヘッダ、Genericパケットのペイロードに配置されるL2シグナリング情報に付加されるヘッダ、Genericパケットのペイロードに配置されるL2シグナリング情報、又は、BB(BaseBand)フレームの拡張ヘッダに、トランスポート・プロトコルの選択情報を配置して伝送する方式を、既に提案している。
【００３４】
（本技術記述子のシンタックス）
図３は、本技術記述子のシンタックスの例を示す図である。
【００３５】
6ビットのNUM_PLPは、ある１つの周波数帯域に配置することができるPLP(Physical Layer Pipe)の個数を示す。例えば、ATSC3.0では、１つの周波数帯域(例えば１チャンネルに対応した6MHzの周波数帯域)には、最大64個のPLPが配置可能となることが規定されているので、NUM_PLP="64"などを設定することができる。NUM_PLPの次は、2ビットのリザーブド領域(reserved)が配置される。リザーブド領域の次には、NUM_PLPが示すPLPの個数に応じて、PLPループが繰り返される。
【００３６】
このPLPループ内には、ROUTE_SIGNALING_ENTRY，MMT_SIGNALING_ENTRY，PLP_GROUP_IDが、伝送情報として配置される。
【００３７】
1ビットのROUTE_SIGNALING_ENTRYは、対象のPLPにおいて、ROUTEサービスで用いられるLLSシグナリング情報が伝送されているかどうかを示すフラグである。例えば、ROUTE_SIGNALING_ENTRY="1"が設定された場合、対象のPLPは、LLSシグナリング情報を含んでいることを示す。
【００３８】
1ビットのMMT_SIGNALING_ENTRYは、対象のPLPにおいて、MMTサービスで用いられるMMTシグナリング情報が伝送されているかどうかを示すフラグである。例えば、MMT_SIGNALING_ENTRY="1"が設定された場合、対象のPLPは、MMTシグナリング情報を含んでいることを示す。
【００３９】
6ビットのPLP_GROUP_IDは、対象のPLPが属しているグループを識別するためのIDである。ここで、PLP_GROUP_IDは、6ビットからなるビット列における各ビットにグループを割り当てたビットマップ構造で表されている。したがって、6ビットのうち、最下位ビット(LSB：Least Significant Bit)から最上位ビット(MSB：Most Significant Bit)までの各ビットを順番に、PLPグループ１乃至PLPグループ６に割り当てることができる。
【００４０】
なお、図３においては、トランスポート・プロトコルとして、ROUTEとMMTが併存している場合を例示しているが、MPEG2-TSなどの他のトランスポート・プロトコルがさらに用いられる場合には、他のトランスポート・プロトコルのサービスで用いられるシグナリング情報が伝送されているかどうかを示す1ビットのフラグがさらに追加されることになる。また、PLP_GROUP_IDは、6ビットであるとして説明したが、PLP_GROUP_IDに割り当てるビット数は任意である。例えば、PLP_GROUP_IDに割り当てるビットを1バイト分増加させて、14ビットを割り当てることで、14個のグループを設定することが可能となる。
【００４１】
＜３．運用例＞
【００４２】
次に、本技術記述子を用いた具体的な運用例を説明する。ここでは、第１の方式として、LLSシグナリング情報やMMTシグナリング情報が、L2シグナリング情報として伝送される場合と、第２の方式として、LLSシグナリング情報やMMTシグナリング情報が、UPDパケットを含むIPパケット(以下、IP/UDPパケットともいう)で伝送される場合について説明する。
【００４３】
（１）運用例１−１
【００４４】
（システムパイプモデル）
図４は、第１の方式を採用した場合に、ROUTEサービスとMMTサービスのシグナリング情報が異なるPLPで伝送されるときの運用形態に対応した運用例１−１のシステムパイプモデルを示す図である。
【００４５】
図４において、所定の周波数帯域(例えば6MHz)を有する放送波(RF Channel)においては、"0"であるPLPIDのPLP(PLP0)と、"1"であるPLPIDのPLP(PLP1)と、"2"であるPLPIDのPLP(PLP2)が伝送されている。３個のPLPのうち、PLP0では、IP/UDP上で、NTP(Network Time Protocol)と、ROUTEサービスのストリームが伝送されている。
【００４６】
PLP0において、ROUTEサービスのストリームは、SLSシグナリング情報、並びにビデオ、オーディオ、及び、字幕のストリームを含んでいる。SLSシグナリング情報は、USDやMPD等のROUTEサービスごとのシグナリング情報である。また、ビデオ、オーディオ、及び、字幕のコンポーネントにより、当該ROUTEサービスにより提供されるコンテンツＡ(例えばテレビ番組)が構成される。なお、NTPは、時刻情報である。
【００４７】
図４において、PLP1では、FIT等のLLSシグナリング情報が伝送されている。また、PLP1では、IP/UDP上で、ROUTEサービスのストリームが伝送されている。このROUTEサービスのストリームは、ロバスト性の高いロバストオーディオのストリームを含んでいる。
【００４８】
ここで、PLP0とPLP1とは、異なるROUTEサービスのストリームが伝送されているが、同一のPLPグループ１に属している。すなわち、このPLPグループ１においては、PLP1で、LLSシグナリング情報のストリームが伝送されているので、受信装置２０は、そこからFITを取得し、選局情報として保持することができる。
【００４９】
受信装置２０は、ROUTEサービスが選局された場合、選局情報(FIT)に基づいて、PLP0で伝送されているSLSシグナリング情報を取得する。そして、受信装置２０は、PLP0のSLSシグナリング情報に基づいて、ビデオ、オーディオ、及び、字幕のストリームを取得することで、PLP0のコンテンツＡを再生することができる。ここでは、PLP1のROUTEサービスのストリームで、ロバストオーディオのストリームが伝送されているので、受信装置２０は、PLP0の通常のオーディオの代わりに、PLP1のロバストオーディオが再生されるようにしてもよい。
【００５０】
このように、PLP0とPLP1とは、同一のPLPグループ１に属しているが、SLSシグナリング情報やコンポーネントのストリームは、PLP0で伝送される一方で、LLSシグナリング情報やロバストオーディオのストリームは、PLP1で伝送されている。すなわち、PLPグループ１によって、特定のROUTEサービスに関するシグナリング情報やコンポーネントのストリームが、グルーピングされていることになる。
【００５１】
また、図４において、PLP2では、MMTシグナリング情報のストリームが伝送されている。また、PLP2では、IP/UDP上で、NTP、及び、MMTサービスのストリームが伝送されている。PLP2において、MMTサービスのストリームは、ビデオ、オーディオ、及び、字幕のストリームを含んでいる。ビデオ、オーディオ、及び、字幕のコンポーネントにより、当該MMTサービスにより提供されるコンテンツＢ(例えばテレビ番組)が構成される。
【００５２】
ここで、PLP2は、PLPグループには属さず、単独のPLPとして構成されている。すなわち、このPLPグループに属していないPLP2では、MMTシグナリング情報のストリームが伝送されているので、受信装置２０は、MMTサービスが選局された場合、PLP2のMMTシグナリング情報に基づいて、ビデオ、オーディオ、及び、字幕のストリームを取得することで、PLP2のコンテンツＢを再生することができる。
【００５３】
このように、PLP2は、PLPグループに属さずに、単独のPLPとして構成されているため、MMTシグナリング情報やコンポーネントのストリームは、PLP2で伝送されている。すなわち、PLP2によって、特定のMMTサービスに関するすべてのシグナリング情報やコンポーネントのストリームが伝送されていることになる。
【００５４】
（本技術記述子の記述例）
以上のように構成される運用例１−１のシステムパイプモデル(図４)について、本技術記述子により、PLPIDで識別されるPLPごとに、LLSシグナリング情報及びMMTシグナリング情報の伝送の有無と、PLPグループの所属を表すと、図５に示すようになる。
【００５５】
図５においては、"0"であるPLPIDのPLP(PLP0)では、LLSシグナリング情報とMMTシグナリング情報(のストリーム)が共に伝送されていないので、ROUTE_SIGNALING_ENTRYとMMT_SIGNALING_ENTRYには、共に"0"が設定されている。
【００５６】
一方で、"1"であるPLPIDのPLP(PLP1)では、LLSシグナリング情報のみが伝送されているので、ROUTE_SIGNALING_ENTRYとして"1"が設定され、MMT_SIGNALING_ENTRYとして"0"が設定されている。また、"2"であるPLPIDのPLP(PLP2)では、MMTシグナリング情報のみが伝送されているので、ROUTE_SIGNALING_ENTRYとして"0"が設定され、MMT_SIGNALING_ENTRYとして"1"が設定されている。
【００５７】
また、"0"であるPLPIDのPLP(PLP0)と、"1"であるPLPIDのPLP(PLP1)は、同一のPLPグループ１に属しているので、PLP_GROUP_IDには、共に、PLPグループ１に属していることを表している"00 0001"が設定されている。一方で、"2"であるPLPIDのPLP(PLP2)は、PLPグループには属しておらず、単独のPLPとなるので、PLP_GROUP_IDには、"00 0000"が設定されている。
【００５８】
なお、図４の運用例１−１のシステムパイプモデルにおいては、３個のPLP(PLP0乃至PLP2)が伝送されているので、NUM_PLPとして"3"が設定されている。したがって、運用例１−１の場合には、ATSC3.0において配置可能な64個のPLPのうち、PLP_IDが"3"〜"63"となるPLPに関する情報は記述する必要はない。
【００５９】
以上のように、運用例１−１では、図５の本技術記述子が、物理層フレーム(のL1シグナリング情報)で伝送されるようにすることで、受信装置２０は、図５の本技術記述子を取得した時点で、例えば、PLPグループ１に属するPLP0とPLP1で、ROUTEサービスに関するストリームが伝送されるとともに、単独のPLPとして構成されるPLP2で、MMTサービスに関するストリームが伝送されていることを認識することができる。これにより、受信装置２０では、例えばROUTEサービスやMMTサービスに応じた処理を行うことが可能となるため、複数のトランスポート・プロトコルを併存させることができる。
【００６０】
また、図５の本技術記述子によって、受信装置２０は、PLPグループ１に属するPLP0とPLP1のうち、PLP1で、ROUTEサービスで用いられるLLSシグナリング情報のストリームが伝送されていることや、PLP2で、MMTサービスで用いられるMMTシグナリング情報のストリームが伝送されていることを認識することができる。
【００６１】
すなわち、ATSC3.0等のデジタル放送の規格では、１つの周波数帯域に、複数のPLPを配置することができる場合に、任意のPLPをグルーピングするための情報(PLP_GROUP_ID)が規定されているものがある。そして、運用例１−１で説明したように、複数のPLPをグルーピングする場合に、各PLPにおいては、物理層よりも上位の層で伝送されるシグナリング情報(例えば、LLSシグナリング情報やMMTシグナリング情報等)が伝送されているPLPと、伝送されていないPLPとがある。
【００６２】
ここでは、物理層よりも上位の層で伝送されるシグナリング情報が伝送されているかどうかを示す情報(ROUTE_SIGNALING_ENTRY，MMT_SIGNALING_ENTRY)を、物理層フレーム(のL1シグナリング情報)で伝送される本技術記述子(図５)に含めて伝送しているため、受信装置２０は、当該本技術記述子の内容を解析することで、各PLPでシグナリング情報(例えば、LLSシグナリング情報やMMTシグナリング情報等)が伝送されているかどうかを認識することができる。また、受信装置２０は、当該本技術記述子の内容を解析することで、複数のトランスポート・プロトコルの中から、提供されるサービスで用いられているトランスポート・プロトコル(例えば、ROUTEやMMT等)を認識することができる。
【００６３】
そのため、例えば、複数のサービスにより特定のコンポーネントを共有したり、あるいは、複数のPLPをグルーピングしたりするなどの各種の運用形態に対しても、柔軟に対応することができる。また、受信装置２０では、図５の本技術記述子を取得した時点で、物理層よりも上位の層で伝送されるシグナリング情報の存在とその種別を認識できるため、対象のシグナリング情報を迅速に取得して、処理時間を短縮することができる。
【００６４】
（２）運用例１−２
【００６５】
（システムパイプモデル）
図６は、第１の方式を採用した場合に、ROUTEサービスとMMTサービスのシグナリング情報が共通のPLPで伝送されるときの運用形態に対応した運用例１−２のシステムパイプモデルを示す図である。
【００６６】
図６において、所定の周波数帯域(例えば6MHz)を有する放送波(RF Channel)においては、"0"であるPLPIDのPLP(PLP0)のみが伝送されている。PLP0では、LLSシグナリング情報とMMTシグナリング情報のストリームとともに、IP/UDP上で、NTP、ROUTEサービス、及び、MMTサービスのストリームが伝送されている。
【００６７】
PLP0において、ROUTEサービスのストリームは、SLSシグナリング情報、並びにビデオ、オーディオ、及び、字幕のストリームを含んでいる。ビデオ、オーディオ、及び、字幕のコンポーネントにより、当該ROUTEサービスにより提供されるコンテンツＣ(例えばテレビ番組)が構成される。
【００６８】
ここで、PLP0は、PLPグループには属さず、単独のPLPとして構成されている。すなわち、このPLPグループに属していないPLP0で、LLSシグナリング情報のストリームが伝送されているので、受信装置２０は、そこからFITを取得し、選局情報として保持することができる。また、受信装置２０は、ROUTEサービスが選局された場合、選局情報(FIT)に基づいて、PLP0で伝送されているSLSシグナリング情報を取得する。そして、受信装置２０は、PLP0のSLSシグナリング情報に基づいて、ビデオ、オーディオ、及び、字幕のストリームを取得することで、PLP0のコンテンツＣを再生することができる。
【００６９】
このように、PLP0は、PLPグループに属さずに、単独のPLPとして構成されているため、LLSシグナリング情報やコンポーネントのストリームは、PLP0で伝送されている。すなわち、PLP0によって、特定のROUTEサービスに関するすべてのシグナリング情報やコンポーネントのストリームが伝送されていることになる。
【００７０】
また、PLP0において、MMTサービスのストリームは、ビデオ、オーディオ、及び、字幕のストリームを含んでいる。ビデオ、オーディオ、及び、字幕のコンポーネントにより、当該MMTサービスにより提供されるコンテンツＤ(例えばテレビ番組)が構成される。
【００７１】
ここで、PLP0は、PLPグループには属さず、単独のPLPとして構成されている。すなわち、このPLPグループに属していないPLP0で、MMTシグナリング情報のストリームが伝送されているので、受信装置２０は、MMTサービスが選局された場合、PLP0のMMTシグナリング情報に基づいて、ビデオ、オーディオ、及び、字幕のストリームを取得することで、PLP0のコンテンツＤを再生することができる。
【００７２】
このように、PLP0は、PLPグループに属さずに、単独のPLPとして構成されているため、MMTシグナリング情報やコンポーネントのストリームは、PLP0で伝送されている。すなわち、PLP0によって、特定のMMTサービスに関するすべてのシグナリング情報やコンポーネントのストリームが伝送されていることになる。
【００７３】
（本技術記述子の記述例）
以上のように構成される運用例１−２のシステムパイプモデル(図６)について、本技術記述子により、PLPIDで識別されるPLPごとに、LLSシグナリング情報及びMMTシグナリング情報の伝送の有無と、PLPグループの所属を表すと、図７に示すようになる。
【００７４】
図７においては、"0"であるPLPIDのPLP(PLP0)では、LLSシグナリング情報とMMTシグナリング情報(のストリーム)が伝送されているので、ROUTE_SIGNALING_ENTRYとMMT_SIGNALING_ENTRYには、共に"1"が設定されている。また、"0"であるPLPIDのPLP(PLP0)は、PLPグループには属しておらず、単独のPLPとなるので、PLP_GROUP_IDには、"00 0000"が設定されている。
【００７５】
なお、図６の運用例１−２のシステムパイプモデルにおいては、１個のPLP(PLP0)のみが伝送されているので、NUM_PLPとして"1"が設定されている。したがって、運用例１−２の場合には、ATSC3.0において配置可能な64個のPLPのうち、PLP_IDが"1"〜"63"となるPLPに関する情報は記述する必要はない。
【００７６】
以上のように、運用例１−２では、図７の本技術記述子が、物理層フレーム(のL1シグナリング情報)で伝送されるようにすることで、受信装置２０は、図７の本技術記述子を取得した時点で、例えば、共通のPLPで、ROUTEサービスとMMTサービスに関するストリームが伝送されていることを認識することができる。これにより、受信装置２０では、例えばROUTEサービスやMMTサービスに応じた処理を行うことが可能となるため、複数のトランスポート・プロトコルを併存させることができる。
【００７７】
また、図７の本技術記述子によって、受信装置２０は、PLP0で、ROUTEサービスで用いられるLLSシグナリング情報と、MMTサービスで用いられるMMTシグナリング情報の両方のストリームが伝送されていることを認識することができる。そのため、例えば、受信装置２０では、図７の本技術記述子を取得した時点で、物理層よりも上位の層で伝送されるシグナリング情報の存在とその種別を認識できるため、対象のシグナリング情報を迅速に取得して、処理時間を短縮することができる。
【００７８】
（３）運用例２−１
【００７９】
（システムパイプモデル）
図８は、第２の方式を採用した場合に、ROUTEサービスとMMTサービスのシグナリング情報が異なるPLPで伝送されるときの運用形態に対応した運用例２−１のシステムパイプモデルを示す図である。
【００８０】
図８において、所定の周波数帯域(例えば6MHz)を有する放送波(RF Channel)においては、"0"であるPLPIDのPLP(PLP0)と、"1"であるPLPIDのPLP(PLP1)と、"2"であるPLPIDのPLP(PLP2)が伝送されている。３個のPLPのうち、PLP0では、IP/UDP上で、NTPと、ROUTEサービスのストリームが伝送されている。
【００８１】
PLP0において、ROUTEサービスのストリームは、SLSシグナリング情報、並びにビデオ、オーディオ、及び、字幕のストリームを含んでいる。ビデオ、オーディオ、及び、字幕のコンポーネントにより、当該ROUTEサービスにより提供されるコンテンツＡ(例えばテレビ番組)が構成される。
【００８２】
図８において、PLP1では、IP/UDP上で、ロバストオーディオを含むROUTEサービスのストリームのほかに、FIT等のLLSシグナリング情報が伝送されている。すなわち、第２の方式を採用した運用例２−１においては、第１の方式を採用した運用例１−１と比べて、LLSシグナリング情報が、L2シグナリング情報としてではなく、IP/UDP上で伝送されている(IP/UDPパケットで伝送される)点が異なっている。この場合、受信装置２０において、IP/UDPパケットに格納されたLLSシグナリング情報は、固定のIPアドレスとポート番号により特定されることになる。
【００８３】
受信装置２０は、PLP1で、LLSシグナリング情報として伝送されるFITを取得し、選局情報として保持する。また、受信装置２０は、ROUTEサービスが選局された場合、選局情報(FIT)に基づいて、PLP0で伝送されているSLSシグナリング情報を取得することで、ビデオ、オーディオ、及び、字幕のコンポーネントから構成されるコンテンツＡを再生することができる。なお、ここでは、受信装置２０は、PLP0で伝送されている通常のオーディオの代わりに、PLP1で伝送されているロバストオーディオが再生されるようにしてもよい。
【００８４】
このように、PLP0とPLP1とは、同一のPLPグループ１に属しているが、SLSシグナリング情報やコンポーネントのストリームは、PLP0で伝送される一方で、LLSシグナリング情報やロバストオーディオのストリームは、PLP1で伝送されている。すなわち、PLPグループ１によって、特定のROUTEサービスに関するシグナリング情報やコンポーネントのストリームが、グルーピングされていることになる。
【００８５】
また、図８において、PLP2では、IP/UDP上で、NTPとMMTサービスのストリームのほかに、MMTシグナリング情報が伝送されている。すなわち、第２の方式を採用した運用例２−１においては、第１の方式を採用した運用例１−１と比べて、MMTシグナリング情報がL2シグナリング情報としてではなく、IP/UDP上で伝送されている(IP/UDPパケットで伝送される)点が異なっている。この場合、受信装置２０において、IP/UDPパケットに格納されたMMTシグナリング情報は、固定のIPアドレスとポート番号により特定されることになる。
【００８６】
受信装置２０は、MMTサービスが選局された場合、MMTシグナリング情報に基づいて、ビデオ、オーディオ、及び、字幕のコンポーネントから構成されるコンテンツＢを再生することができる。
【００８７】
このように、PLP2は、PLPグループに属さずに、単独のPLPとして構成されているため、MMTシグナリング情報やコンポーネントのストリームは、PLP2で伝送されている。すなわち、PLP2によって、特定のMMTサービスに関するすべてのシグナリング情報やコンポーネントのストリームが伝送されていることになる。
【００８８】
（本技術記述子の記述例）
以上のように構成される運用例２−１のシステムパイプモデル(図８)について、本技術記述子により、PLPIDで識別されるPLPごとに、LLSシグナリング情報及びMMTシグナリング情報の伝送の有無と、PLPグループの所属を表すと、図９に示すようになる。
【００８９】
図９において、PLP0では、LLSシグナリング情報とMMTシグナリング情報(のストリーム)が共に伝送されていないので、ROUTE_SIGNALING_ENTRYとMMT_SIGNALING_ENTRYには、共に"0"が設定されている。
【００９０】
一方で、PLP1では、LLSシグナリング情報のみが伝送されているので、ROUTE_SIGNALING_ENTRYとして"1"が設定され、MMT_SIGNALING_ENTRYとして"0"が設定されている。また、PLP2では、MMTシグナリング情報のみが伝送されているので、ROUTE_SIGNALING_ENTRYとして"0"が設定され、MMT_SIGNALING_ENTRYとして"1"が設定されている。
【００９１】
また、PLP0とPLP1は、同一のPLPグループ１に属しているので、PLP_GROUP_IDには、共に、PLPグループ１に属していることを表している"00 0001"が設定されている。一方で、PLP2は、PLPグループには属しておらず、単独のPLPとなるので、PLP_GROUP_IDには、"00 0000"が設定されている。
【００９２】
以上のように、運用例２−１では、図９の本技術記述子が、物理層フレーム(のL1シグナリング情報)で伝送されるようにすることで、受信装置２０は、図９の本技術記述子を取得した時点で、例えば、PLPグループ１に属するPLP0とPLP1で、ROUTEサービスに関するストリームが伝送されるとともに、単独のPLPとして構成されるPLP2で、MMTサービスに関するストリームが伝送されていることを認識することができる。これにより、受信装置２０では、例えばROUTEサービスやMMTサービスに応じた処理を行うことが可能となるため、複数のトランスポート・プロトコルを併存させることができる。
【００９３】
また、図９の本技術記述子によって、受信装置２０は、PLPグループ１に属するPLP0とPLP1のうち、PLP1で、ROUTEサービスで用いられるLLSシグナリング情報のストリームが伝送されていることや、PLP2で、MMTサービスで用いられるMMTシグナリング情報のストリームが伝送されていることを認識することができる。そのため、例えば、受信装置２０では、図９の本技術記述子を取得した時点で、物理層よりも上位の層で伝送されるシグナリング情報の存在とその種別を認識できるため、対象のシグナリング情報を迅速に取得して、処理時間を短縮することができる。
【００９４】
（４）運用例２−２
【００９５】
（システムパイプモデル）
図１０は、第２の方式を採用した場合に、ROUTEサービスとMMTサービスのシグナリング情報が共通のPLPで伝送されるときの運用形態に対応した運用例２−２のシステムパイプモデルを示す図である。
【００９６】
図１０において、所定の周波数帯域(例えば6MHz)を有する放送波(RF Channel)においては、"0"であるPLPIDのPLP(PLP0)のみが伝送されている。PLP0では、IP/UDP上で、NTP、ROUTEサービス、及び、MMTサービスのストリームのほかに、LLSシグナリング情報とMMTシグナリング情報のストリームが伝送されている。
【００９７】
すなわち、第２の方式を採用した運用例２−２においては、第１の方式を採用した運用例１−２と比べて、LLSシグナリング情報とMMTシグナリング情報が、L2シグナリング情報としてではなく、IP/UDP上で伝送されている(IP/UDPパケットで伝送される)点が異なっている。この場合、IP/UDPパケットに格納されたLLSシグナリング情報とMMTシグナリング情報は、それぞれ固定のIPアドレスとポート番号により特定されることになる。
【００９８】
受信装置２０は、PLP0で、LLSシグナリング情報として伝送されるFITを取得し、選局情報として保持する。また、受信装置２０は、ROUTEサービスが選局された場合、選局情報(FIT)に基づいて、PLP0で伝送されているSLSシグナリング情報を取得することで、ビデオ、オーディオ、及び、字幕のコンポーネントから構成されるコンテンツＣを再生することができる。
【００９９】
このように、PLP0は、PLPグループに属さずに、単独のPLPとして構成されているため、LLSシグナリング情報やコンポーネントのストリームは、PLP0で伝送されている。すなわち、PLP0によって、特定のROUTEサービスに関するすべてのシグナリング情報やコンポーネントのストリームが伝送されていることになる。
【０１００】
また、受信装置２０は、MMTサービスが選局された場合、MMTシグナリング情報に基づいて、ビデオ、オーディオ、及び、字幕のコンポーネントから構成されるコンテンツＤを再生することができる。
【０１０１】
このように、PLP0は、PLPグループに属さずに、単独のPLPとして構成されているため、MMTシグナリング情報やコンポーネントのストリームは、PLP0で伝送されている。すなわち、PLP0によって、特定のMMTサービスに関するすべてのシグナリング情報やコンポーネントのストリームが伝送されていることになる。
【０１０２】
（本技術記述子の記述例）
以上のように構成される運用例２−２のシステムパイプモデル(図１０)について、本技術記述子により、PLPIDで識別されるPLPごとに、LLSシグナリング情報及びMMTシグナリング情報の伝送の有無と、PLPグループの所属を表すと、図１１に示すようになる。
【０１０３】
図１１において、PLP0では、LLSシグナリング情報とMMTシグナリング情報(のストリーム)が伝送されているので、ROUTE_SIGNALING_ENTRYとMMT_SIGNALING_ENTRYには、共に"1"が設定されている。また、PLP0は、PLPグループには属しておらず、単独のPLPとなるので、PLP_GROUP_IDには、"00 0000"が設定されている。
【０１０４】
以上のように、運用例２−２では、図１１の本技術記述子が、物理層フレーム(のL1シグナリング情報)で伝送されるようにすることで、受信装置２０は、図１１の本技術記述子を取得した時点で、例えば、共通のPLPで、ROUTEサービスとMMTサービスに関するストリームが伝送されていることを認識することができる。これにより、受信装置２０では、例えばROUTEサービスやMMTサービスに応じた処理を行うことが可能となるため、複数のトランスポート・プロトコルを併存させることができる。
【０１０５】
また、図１１の本技術記述子によって、受信装置２０は、PLP0で、ROUTEサービスで用いられるLLSシグナリング情報と、MMTサービスで用いられるMMTシグナリング情報の両方のストリームが伝送されていることを認識することができる。そのため、例えば、受信装置２０では、図１１の本技術記述子を取得した時点で、物理層よりも上位の層で伝送されるシグナリング情報の存在とその種別を認識できるため、対象のシグナリング情報を迅速に取得して、処理時間を短縮することができる。
【０１０６】
＜４．シグナリングの伝送方法＞
【０１０７】
（レイヤ構造）
図１２は、ATSC3.0に対応したレイヤ構造の概念を説明する図である。
【０１０８】
図１２において、レイヤ３(Ｌ３)では、IPパケット(IP Packet)が伝送される。IPパケットは、IPヘッダ(IP Header)と、UDPヘッダ(UDP Header)及びデータ(Data)から構成される。すなわち、IPパケットは、UDPパケットが含まれたIP/UDPパケットとされる。IPパケット(IP/UDPパケット)のデータには、サービスに応じたパケット(ROUTEパケット又はMMTパケット)やNTPなどが配置される。
【０１０９】
レイヤ２(Ｌ２)では、伝送パケットとしてのGenericパケット(Generic Packet)が伝送される。Genericパケットは、Genericヘッダ(Generic Header)とペイロード(Payload)から構成される。Genericパケットのペイロードには、１又は複数のIPパケットが配置され、カプセル化(encapsulation)される。
【０１１０】
ここで、第１の方式を採用した場合、LLSシグナリング情報又はMMTシグナリング情報は、Genericパケットのペイロードに、L2シグナリング情報として配置される。
【０１１１】
すなわち、図中のＴ１に示すように、ROUTEサービスのストリームが伝送される場合、Genericパケットのペイロードには、FIT等のLLSシグナリング情報が配置される。一方で、MMTサービスのストリームが伝送される場合、Genericパケットのペイロードには、MMTシグナリング情報が配置される。
【０１１２】
また、第２の方式を採用した場合、LLSシグナリング情報又はMMTシグナリング情報は、IP/UDPパケットに配置される。
【０１１３】
すなわち、ROUTEサービスのストリームが伝送される場合、図中のＴ２に示すように、IP/UDPパケットのデータとして、FIT等のLLSシグナリング情報が配置される。この場合、IP/UDPパケットのデータには、ROUTEサービスに応じたデータとして、SLSシグナリング情報やコンポーネントのデータを格納したROUTEパケットが配置される。一方で、MMTサービスのストリームが伝送される場合には、図中のＴ２に示すように、IP/UDPパケットのデータとして、MMTシグナリング情報が配置される。この場合、IP/UDPパケットのデータには、MMTサービスに応じたデータとして、コンポーネントのデータを格納したMMTパケットが配置される。
【０１１４】
物理層に相当するレイヤ１(Ｌ１)のBBフレーム(Baseband Frame)は、BBフレームヘッダ(Baseband Frame Header)とペイロード(Payload)から構成される。BBフレームのペイロードには、複数のGenericパケットが配置され、カプセル化される。また、レイヤ１においては、複数のBBフレームをスクランブルして得られるデータ(Data)がFECフレーム(FEC Frame)にマッピングされ、物理層のエラー訂正用のパリティ(Parity)が付加される。
【０１１５】
レイヤ１(Ｌ１)の物理層フレーム(ATSC (Physical) Frame)は、ブートストラップ(Bootstrap)、プリアンブル(Preamble)、及び、データ部(Data)から構成される。そして、物理層フレームのデータ部には、複数のFECフレームに対して、ビットインターリーブを行った後に、マッピング処理を行い、さらに、時間方向と周波数方向にインターリーブを行うなどの物理層の処理が行われることで得られるデータがマッピングされる。
【０１１６】
ここで、上述した本技術記述子(図３)は、図中のＴ３に示すように、物理層フレームのブートストラップ又はプリアンブルに配置することができる。例えば、物理層フレームのプリアンブルには、L1-postシグナリング情報が配置されるが、そこに、本技術記述子の内容を記述することができる。
【０１１７】
（L1-postシグナリングの構造）
図１３は、プリアンブルに配置される、ATSC3.0に対応したL1-postシグナリングのシンタックスの例を示す図である。
【０１１８】
図１３において、PLPループ内に配置されている8ビットのPLP_GROUP_IDの代わりに、本技術記述子で規定されている、1ビットのROUTE_SIGNALING_ENTRYと、1ビットのMMT_SIGNALING_ENTRYと、6ビットのPLP_GROUP_IDが配置されるようにする。これにより、LLSシグナリング情報及びMMTシグナリング情報の伝送の有無とPLPグループの所属を、PLPIDで識別されるPLPごとに表した情報が、物理層のL1シグナリング情報として伝送されることになる。
【０１１９】
なお、図１３では、本技術記述子の内容が、L1-postシグナリング情報のPLPループ内に配置される場合を示したが、L1-postシグナリング情報に配置するのは一例であって、他の場所に配置されるようにしてもよい。例えば、物理層フレームのブートストラップ(図１２)に配置されるようにしてもよい。
【０１２０】
（ブートストラップの構造）
図１４は、図１２の物理フレームのブートストラップの構造を示す図である。
【０１２１】
図１４においては、横方向を時間とし、縦方向を周波数とした場合に、ブートストラップの信号により、ブートストラップシンボル１乃至３が伝送されていることを表している。ただし、各ブートストラップシンボルは、最大11ビットの信号を伝送可能である。
【０１２２】
図１５のシンタックスに示すように、ブートストラップシンボル１には、1ビットのeas_wake_up，2ビットのsystem_bandwidth，5ビットのmin_time_to_nextが含まれる。また、図１６のシンタックスに示すように、ブートストラップシンボル２には、7ビットのbsr_coefficientが含まれる。また、図１７のシンタックスに示すように、ブートストラップ３には、6ビットのpreamble_structure，1ビットのnum_ldm_layersが含まれる。
【０１２３】
ここでは、Ns=4として、ブートストラップシンボル１乃至３が伝送されるようにしたが、Nsの値を、4よりも大きな値とすることで、使用するPLPの個数に応じたブートストラップシンボルを定義して、それぞれのPLPのROUTE_SIGNALING_ENTRY，MMT_SIGNALING_ENTRY，PLP_GROUP_IDが、ブートストラップの信号(L1シグナリング情報)として伝送されるようにすることができる。
【０１２４】
図１８においては、横方向を時間とし、縦方向を周波数とした場合に、ブートストラップの信号として、ブートストラップシンボル１乃至６７が伝送されていることを表している。ただし、ATSC3.0では、１つの周波数帯域に、最大64個のPLPを配置可能となるので、上述したブートストラップシンボル１乃至３に対して、64個のブートストラップシンボル４乃至６７が追加されている。また、各ブートストラップシンボルは、最大11ビットの信号を伝送可能である。
【０１２５】
図１９のシンタックスに示すように、ブートストラップシンボル４には、PLP0に対する、1ビットのROUTE_SIGNALING_ENTRY，1ビットのMMT_SIGNALING_ENTRY，6ビットのPLP_GROUP_IDが含まれる。同様にして、ブートストラップシンボル５乃至６７のそれぞれには、各PLP(PLP1乃至PLP63のうちのいずれかのPLP)に対する、1ビットのROUTE_SIGNALING_ENTRY，1ビットのMMT_SIGNALING_ENTRY，6ビットのPLP_GROUP_IDが含まれる。
【０１２６】
ただし、ブートストラップシンボル５乃至６７のうち、ブートストラップシンボル５のシンタックスが、図２０に例示され、ブートストラップシンボル６７のシンタックスが、図２１に例示されている。なお、図１８乃至図２１の説明では、ATSC3.0のPLPの最大数である64個のPLPが使用される場合を例示したが、実際には、使用するPLPの個数に応じたブートストラップシンボルが使用される。
【０１２７】
＜５．各装置の構成＞
【０１２８】
次に、図１の伝送システム１を構成する、送信装置１０と受信装置２０の詳細な構成を説明する。
【０１２９】
（送信装置の構成）
図２２は、図１の送信装置１０の構成例を示す図である。
【０１３０】
図２２において、送信装置１０は、制御部１０１、コンポーネント取得部１０２、エンコーダ１０３、シグナリング生成部１０４、シグナリング処理部１０５、パケット生成部１０６、物理層フレーム生成部１０７、及び、送信部１０８から構成される。
【０１３１】
制御部１０１は、送信装置１０の各部の動作を制御する。
【０１３２】
コンポーネント取得部１０２は、特定のサービス(例えばROUTEサービスやMMTサービス)により提供されるコンテンツ(例えばテレビ番組)を構成するビデオやオーディオ、字幕等(のコンポーネント)のデータを取得し、エンコーダ１０３に供給する。エンコーダ１０３は、コンポーネント取得部１０２から供給される、ビデオやオーディオ等(のコンポーネント)のデータを、所定の符号化方式に従って符号化して、パケット生成部１０６に供給する。
【０１３３】
なお、コンテンツとしては、例えば、既に収録されたコンテンツの保管場所から、放送時間帯に応じて該当するコンテンツが取得されたり、あるいはスタジオやロケーション場所からライブのコンテンツが取得されたりする。
【０１３４】
シグナリング生成部１０４は、外部のサーバや内蔵するストレージ等から、シグナリング情報を生成するための素データを取得する。シグナリング生成部１０４は、シグナリング情報の素データを用いて、シグナリング情報を生成する。
【０１３５】
ここでは、シグナリング情報として、L1シグナリング情報やサービスに応じたシグナリング情報が生成される。例えば、L1シグナリング情報としては、L1-postシグナリング情報やブートストラップ情報等が生成される。また、ROUTEサービスのストリームが伝送される場合には、LLSシグナリング情報と、SLSシグナリング情報が生成される。また、MMTサービスのストリームが伝送される場合には、MMTシグナリング情報が生成される。
【０１３６】
このようなシグナリング情報のうち、LLSシグナリング情報、SLSシグナリング情報、及び、MMTシグナリング情報は、パケット生成部１０６に供給され、L1-postシグナリング情報、及び、ブートストラップ情報は、物理層フレーム生成部１０７に供給される。
【０１３７】
ただし、L1-postシグナリング情報、及び、ブートストラップ情報のうちの少なくとも一方には、本技術記述子(図３)として規定されている、LLSシグナリング情報及びMMTシグナリング情報の伝送の有無とPLPグループの所属を表した伝送情報(ROUTE_SIGNALING_ENTRY，MMT_SIGNALING_ENTRY，PLP_GROUP_ID)を配置することができる。
【０１３８】
例えば、L1-postシグナリング情報に、本技術記述子を配置する場合には、伝送情報が、L1-postシグナリング情報(図１３)のPLPループ内に配置されることになる。また、例えば、ブートストラップ情報に、本技術記述子を配置する場合には、伝送情報が、使用されるPLPの数に応じたブートストラップシンボル(図１８)に配置されることになる。
【０１３９】
パケット生成部１０６は、エンコーダ１０３から供給されるビデオやオーディオ等(のコンポーネント)のデータと、シグナリング処理部１０５から供給されるシグナリング情報を用い、サービスに応じたパケット(ROUTEパケット又はMMTパケット)やIPパケット(IP/UDPパケット)を生成する。また、パケット生成部１０６は、１又は複数のIPパケットをカプセル化することで、Genericパケットを生成し、物理層フレーム生成部１０７に供給する。
【０１４０】
具体的には、第１の方式を採用した場合に、ROUTEサービスのストリームが伝送されるとき、IP/UDPパケットのデータには、ROUTEサービスに応じたデータとして、SLSシグナリング情報やコンポーネントのデータを格納したROUTEパケットが配置される。そして、Genericパケットのペイロードには、当該ROUTEパケットを格納したIP/UDPパケットや、L2シグナリング情報としてのLLSシグナリング情報が配置される。
【０１４１】
また、第１の方式を採用した場合に、MMTサービスのストリームが伝送されるとき、IP/UDPパケットのデータには、MMTサービスに応じたデータとして、コンポーネントのデータを格納したMMTパケットが配置される。そして、Genericパケットのペイロードには、当該MMTパケットを格納したIP/UDPパケットや、L2シグナリング情報としてのMMTシグナリング情報が配置される。
【０１４２】
一方で、第２の方式を採用した場合に、ROUTEサービスのストリームが伝送されるとき、IP/UDPパケットのデータには、SLSシグナリング情報やコンポーネントのデータを格納したROUTEパケットのほか、LLSシグナリング情報が配置される。そして、Genericパケットのペイロードには、当該ROUTEパケットやLLSシグナリング情報を格納したIP/UDPパケットが配置される。
【０１４３】
また、第２の方式を採用した場合に、MMTサービスのストリームが伝送されるとき、IP/UDPパケットのデータには、コンポーネントのデータを格納したMMTパケットのほか、MMTシグナリング情報が配置される。そして、Genericパケットのペイロードには、当該MMTパケットやMMTシグナリング情報を格納したIP/UDPパケットが配置される。
【０１４４】
物理層フレーム生成部１０７は、パケット生成部１０６から供給される、複数のGenericパケットをカプセル化などすることで、物理層フレームを生成し、送信部１０８に供給する。ただし、物理層フレームにおいて、ブートストラップには、シグナリング処理部１０５から供給されるブートストラップ情報が配置され、プリアンブルには、シグナリング処理部１０５から供給されるL1-postシグナリング情報が配置される。
【０１４５】
すなわち、L1-postシグナリング情報やブートストラップ情報等のL1シグナリング情報には、本技術記述子(図３)として規定されている、LLSシグナリング情報及びMMTシグナリング情報の伝送の有無とPLPグループの所属を表した伝送情報(ROUTE_SIGNALING_ENTRY，MMT_SIGNALING_ENTRY，PLP_GROUP_ID)が含まれているので、当該情報が、物理層フレームのブートストラップ又はプリアンブルに配置されたことになる。
【０１４６】
送信部１０８は、物理層フレーム生成部１０７から供給される物理層フレームに対して、例えばOFDM(Orthogonal Frequency Division Multiplexing)変調などの処理を行い、アンテナ１１１を介して、デジタル放送信号として送信する。
【０１４７】
なお、図２２においては、シグナリング生成部１０４によりシグナリング情報が生成されるとして説明したが、パケット生成部１０６又は物理層フレーム生成部１０７がシグナリング情報を生成するようにしてもよい。例えば、パケット生成部１０６は、LLSシグナリング情報、SLSシグナリング情報、又は、MMTシグナリング情報を生成し、パケットに格納することができる。また、例えば、物理層フレーム生成部１０７は、L1-postシグナリング情報、又は、ブートストラップ情報を生成し、物理層フレームに配置することができる。また、図２２の送信装置１０において、すべての機能ブロックが、物理的に単一の装置内に配置される必要はなく、少なくとも一部の機能ブロックが、他の機能ブロックとは物理的に独立した装置として構成されるようにしてもよい。
【０１４８】
（受信装置の構成）
図２３は、図１の受信装置２０の構成例を示す図である。
【０１４９】
図２３において、受信装置２０は、制御部２０１、受信部２０２、物理層フレーム処理部２０３、パケット処理部２０４、シグナリング処理部２０５、デコーダ２０６、表示部２０７、及び、スピーカ２０８から構成される。
【０１５０】
制御部２０１は、受信装置２０の各部の動作を制御する。
【０１５１】
受信部２０２は、送信装置１０から送信されてくるデジタル放送信号を、アンテナ２１１を介して受信して、例えばOFDM復調などの処理を行い、それにより得られる物理層フレームを、物理層フレーム処理部２０３に供給する。
【０１５２】
物理層フレーム処理部２０３は、受信部２０２から供給される物理層フレームに対する処理を行い、Genericパケットを抽出し、パケット処理部２０４に供給する。また、物理層フレーム処理部２０３は、物理層フレームのブートストラップに配置されたブートストラップ情報と、プリアンブルに配置されたL1-postシグナリング情報を取得して、シグナリング処理部２０５に供給する。
【０１５３】
パケット処理部２０４は、物理層フレーム処理部２０３から供給されるGenericパケットに対する処理を行う。また、パケット処理部２０４は、Genericパケットから抽出されるIPパケット(IP/UDPパケット)やサービスに応じたパケット(ROUTEパケット又はMMTパケット)に対する処理を行い、シグナリング情報やコンポーネントのデータを抽出する。そして、シグナリング情報は、シグナリング処理部２０５に供給され、コンポーネントのデータは、デコーダ２０６に供給される。
【０１５４】
具体的には、上述した送信側の送信装置１０にて第１の方式が採用された場合に、ROUTEサービスのストリームが伝送されるとき、Genericパケットのペイロードから、L2シグナリング情報としてのLLSシグナリング情報が抽出され、IP/UDPパケットに格納されるROUTEパケットから、SLSシグナリング情報やコンポーネントのデータが抽出される。
【０１５５】
また、第１の方式が採用された場合に、MMTサービスのストリームが伝送されるとき、Genericパケットのペイロードから、L2シグナリング情報としてのMMTシグナリング情報が抽出され、IP/UDPパケットに格納されるMMTパケットから、コンポーネントのデータが抽出される。
【０１５６】
一方で、上述した送信側の送信装置１０にて第２の方式が採用された場合に、ROUTEサービスのストリームが伝送されるとき、Genericパケットのペイロードに配置されるIP/UDPパケットから、LLSシグナリング情報が抽出され、当該IP/UDPパケットに格納されるROUTEパケットから、SLSシグナリング情報やコンポーネントのデータが抽出される。
【０１５７】
また、第２の方式が採用された場合に、MMTサービスのストリームが伝送されるとき、Genericパケットのペイロードに配置されるIP/UDPパケットから、MMTシグナリング情報が抽出され、当該IP/UDPパケットに格納されるMMTパケットから、コンポーネントのデータが抽出される。
【０１５８】
シグナリング処理部２０５には、物理層フレーム処理部２０３及びパケット処理部２０４から供給されるシグナリング情報を適宜処理して、制御部２０１に供給する。
【０１５９】
ここでは、シグナリング情報として、L1シグナリング情報やサービスに応じたシグナリング情報が処理される。例えば、L1シグナリング情報としては、L1-postシグナリング情報やブートストラップ情報等が処理される。また、ROUTEサービスのストリームが伝送されている場合には、LLSシグナリング情報とSLSシグナリング情報が処理される。また、MMTサービスのストリームが伝送されている場合には、MMTシグナリング情報が処理される。
【０１６０】
ただし、L1-postシグナリング情報及びブートストラップ情報のうちの少なくとも一方には、本技術記述子(図３)として規定されている、LLSシグナリング情報及びMMTシグナリング情報の伝送の有無とPLPグループの所属を表した伝送情報(ROUTE_SIGNALING_ENTRY，MMT_SIGNALING_ENTRY，PLP_GROUP_ID)が配置されている。
【０１６１】
例えば、L1-postシグナリング情報に、本技術記述子を配置する場合には、伝送情報が、L1-postシグナリング情報(図１３)のPLPループ内に配置されている。また、例えば、ブートストラップ情報に、本技術記述子を配置する場合には、伝送情報が、使用されるPLPの数に応じたブートストラップシンボル(図１８)に配置されている。
【０１６２】
制御部２０１は、シグナリング処理部２０５から供給されるシグナリング情報に基づいて、各部の動作を制御する。例えば、制御部２０１は、L1-postシグナリング情報やブートストラップ情報等に基づいて、物理層フレーム処理部２０３やパケット処理部２０４で行われる処理などを制御する。
【０１６３】
また、例えば、制御部２０１は、ROUTEサービスが選局された場合、LLSシグナリング情報及びSLSシグナリング情報に基づいて、パケット処理部２０４で行われるパケットのフィルタリングを制御し、ビデオやオーディオ等(のコンポーネント)のデータ(ROUTEパケット)がデコーダ２０６に供給されるようにする。また、例えば、制御部２０１は、MMTサービスが選局された場合、MMTシグナリング情報に基づいて、パケット処理部２０４で行われるパケットのフィルタリングを制御し、ビデオやオーディオ等(のコンポーネント)のデータ(MMTパケット)がデコーダ２０６に供給されるようにする。
【０１６４】
デコーダ２０６は、パケット処理部２０４から供給される、ビデオやオーディオ等(のコンポーネント)のデータに対して、所定の復号方式に従って復号して、その結果得られるビデオデータを表示部２０７に供給し、オーディオデータをスピーカ２０８に供給する。
【０１６５】
表示部２０７は、デコーダ２０６から供給されるビデオデータに対応する映像を表示する。また、スピーカ２０８は、デコーダ２０６から供給されるオーディオデータに対応する音声を出力する。これにより、受信装置２０においては、ユーザにより選局されたサービス(ROUTEサービス又はMMTサービス)により提供されるコンテンツ(例えばテレビ番組)の映像と音声が出力される。
【０１６６】
なお、図２３においては、シグナリング処理部２０５によりシグナリング情報が処理されるとして説明したが、物理層フレーム処理部２０３又はパケット処理部２０４がシグナリング情報を処理するようにしてもよい。例えば、物理層フレーム処理部２０３は、L1-postシグナリング情報、又は、ブートストラップ情報を処理することができる。また、例えば、パケット処理部２０４は、LLSシグナリング情報、SLSシグナリング情報、又は、MMTシグナリング情報を処理することができる。また、図２３においては、受信装置２０が、テレビ受像機等の固定受信機や、スマートフォンやタブレット端末等のモバイル受信機である場合として、表示部２０７及びスピーカ２０８が内蔵されている場合の構成を示したが、例えば、録画機やセットトップボックス(STB：Set Top Box)などの場合には、表示部２０７及びスピーカ２０８が外部に設けられた構成となる。
【０１６７】
＜６．各装置で実行される処理の流れ＞
【０１６８】
次に、図２４乃至図２５のフローチャートを参照して、図１の伝送システム１を構成する各装置で実行される処理の流れを説明する。
【０１６９】
（送信処理）
まず、図２４のフローチャートを参照して、図１の送信装置１０により実行される送信処理の流れを説明する。
【０１７０】
ステップＳ１０１において、コンポーネント取得部１０２は、ビデオやオーディオ等のコンポーネントを取得する。コンポーネント取得部１０２により取得されたコンポーネントのデータは、エンコーダ１０３により符号化される。
【０１７１】
ステップＳ１０２において、シグナリング生成部１０４は、シグナリング情報を生成する。ここでは、L1シグナリング情報として、L1-postシグナリング情報やブートストラップ情報が生成される。また、ROUTEサービスのストリームが伝送される場合、LLSシグナリング情報やSLSシグナリング情報が生成される。また、MMTサービスのストリームが伝送される場合、MMTシグナリング情報が生成される。
【０１７２】
ステップＳ１０３においては、パケット・フレーム生成処理が行われる。
【０１７３】
このパケット・フレーム生成処理では、パケット生成部１０６によって、ROUTEパケット又はMMTパケットやIPパケット(IP/UDPパケット)、Genericパケットが生成される。また、物理層フレーム生成部１０７によって、物理層フレームが生成される。
【０１７４】
ここでは、第１の方式と第２の方式で共通して、ROUTEサービスのストリームが伝送される場合には、IP/UDPパケットに格納されるROUTEパケットに、SLSシグナリング情報やコンポーネントのデータが配置され、MMTサービスのストリームが伝送される場合には、IP/UDPパケットに格納されるMMTパケットに、コンポーネントのデータが配置される。
【０１７５】
また、第１の方式を採用した場合であって、ROUTEサービスのストリームが伝送されるときには、Genericパケットのペイロードに、LLSシグナリング情報が配置され、MMTサービスのストリームが伝送されるときには、Genericパケットのペイロードに、MMTシグナリング情報が配置される。また、第２の方式を採用した場合であって、ROUTEサービスのストリームが伝送されるときには、IP/UDPパケットのデータに、LLSシグナリング情報が配置され、MMTサービスのストリームが伝送されるときには、IP/UDPパケットのデータに、MMTシグナリング情報が配置される。
【０１７６】
さらに、物理層フレームのプリアンブルに配置されるL1-postシグナリング情報のPLPループ内、又は、ブートストラップに配置されるブートストラップ情報には、本技術記述子(図３)として規定されている伝送情報(ROUTE_SIGNALING_ENTRY，MMT_SIGNALING_ENTRY，PLP_GROUP_ID)が配置されることになる。
【０１７７】
ステップＳ１０４において、送信部１０８は、物理層フレームに対する処理を行い、アンテナ１１１を介してデジタル放送信号として送信する。
【０１７８】
以上、送信処理の流れについて説明した。
【０１７９】
（受信処理）
次に、図２５のフローチャートを参照して、図１の受信装置２０により実行される受信処理の流れを説明する。なお、この受信処理は、ROUTEサービスやMMTサービス等の特定のサービスが選局された場合に実行される処理とされる。
【０１８０】
ステップＳ２０１において、受信部２０２は、送信装置１０から送信されてくるデジタル放送信号を、アンテナ２１１を介して受信する。
【０１８１】
ステップＳ２０２においては、パケット・フレーム処理が行われる。
【０１８２】
このパケット・フレーム処理では、物理層フレーム処理部２０３によって、物理層フレームに対する処理が行われる。また、パケット処理部２０４によって、GenericパケットやIPパケット(IP/UDPパケット)、ROUTEパケット又はMMTパケットに対する処理が行われる。
【０１８３】
ステップＳ２０３において、シグナリング処理部２０５は、物理層フレーム処理部２０３又はパケット処理部２０４からのシグナリング情報を処理する。また、制御部２０１は、シグナリング処理部２０５によるシグナリング情報の処理結果に基づいて、各部の動作を制御する。
【０１８４】
ここでは、例えば、物理層フレームのプリアンブルに配置されるL1-postシグナリング情報のPLPループ内、又は、ブートストラップに配置されるブートストラップ情報には、本技術記述子(図３)として規定されている伝送情報(ROUTE_SIGNALING_ENTRY，MMT_SIGNALING_ENTRY，PLP_GROUP_ID)が配置されているので、シグナリング処理部２０５は、このL1シグナリング情報の処理結果を、制御部２０１に供給する。
【０１８５】
制御部２０１は、伝送情報(ROUTE_SIGNALING_ENTRY，MMT_SIGNALING_ENTRY，PLP_GROUP_ID)に基づいて、各PLPで伝送されているサービスのストリームが、例えばROUTEやMMTなど、どのトランスポート・プロトコルで伝送されているかを認識するとともに、ROUTEサービスやMMTサービス等のサービスで用いられるシグナリング情報を伝送しているPLPを認識することができる。これにより、制御部２０１は、パケット処理部２０４やシグナリング処理部２０５等を制御して、例えば、ROUTEサービスのストリームを伝送するPLPグループに属するPLPのうち、特定のPLPから、LLSシグナリング情報が取得されるようにしたり、MMTサービスのストリームを伝送するPLPグループに属するPLPのうち、特定のPLPから、MMTシグナリング情報が取得されるようにしたりすることができる。
【０１８６】
ここでは、第１の方式を採用した場合であって、ROUTEサービスが選局されたときには、Genericパケットのペイロードから、LLSシグナリング情報が抽出され、MMTサービスが選局されたときには、Genericパケットのペイロードから、MMTシグナリング情報が抽出される。また、第２の方式を採用した場合であって、ROUTEサービスが選局されたときには、IP/UDPパケットから、LLSシグナリング情報が抽出され、MMTサービスが選局されたときには、IP/UDPパケットから、MMTシグナリング情報が抽出される。
【０１８７】
ステップＳ２０４においては、制御部２０１は、シグナリング処理部２０５により取得されるシグナリング情報に基づいて、各部の動作を制御することで、デコーダ２０６により、ビデオやオーディオ等のコンポーネントのデータが復号される。これにより、コンテンツの映像が表示部２０７に表示され、その音声がスピーカ２０８から出力される。
【０１８８】
ここでは、第１の方式と第２の方式で共通して、ROUTEサービスが選局された場合には、IP/UDPパケットに格納されるROUTEパケットから、SLSシグナリング情報やコンポーネントのデータが抽出され、MMTサービスが選局された場合には、IP/UDPパケットに格納されるMMTパケットから、コンポーネントのデータが抽出される。
【０１８９】
以上、受信処理の流れについて説明した。
【０１９０】
＜７．変形例＞
【０１９１】
上述した説明としては、デジタル放送の規格として、米国等で採用されている方式であるATSC(例えばATSC3.0)を説明したが、日本等が採用する方式であるISDB(Integrated Services Digital Broadcasting)や、欧州の各国等が採用する方式であるDVB(Digital Video Broadcasting)などに適用するようにしてもよい。また、伝送路３０(図１)としては、地上デジタル放送に限らず、衛星デジタル放送やデジタル有線テレビ放送などで採用するようにしてもよい。
【０１９２】
また、上述したFITなどのシグナリング情報の名称は、一例であって、他の名称が用いられるようにしてもよい。仮に、シグナリング情報の名称として、他の名称が用いられた場合であっても、単に形式的に名称が変更になっただけであり、そのシグナリング情報の実質的な内容が異なるものではない。
【０１９３】
＜８．コンピュータの構成＞
【０１９４】
上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。図２６は、上述した一連の処理をプログラムにより実行するコンピュータのハードウェアの構成例を示す図である。
【０１９５】
コンピュータ９００において、CPU(Central Processing Unit)９０１，ROM(Read Only Memory)９０２，RAM(Random Access Memory)９０３は、バス９０４により相互に接続されている。バス９０４には、さらに、入出力インターフェース９０５が接続されている。入出力インターフェース９０５には、入力部９０６、出力部９０７、記録部９０８、通信部９０９、及び、ドライブ９１０が接続されている。
【０１９６】
入力部９０６は、キーボード、マウス、マイクロフォンなどよりなる。出力部９０７は、ディスプレイ、スピーカなどよりなる。記録部９０８は、ハードディスクや不揮発性のメモリなどよりなる。通信部９０９は、ネットワークインターフェースなどよりなる。ドライブ９１０は、磁気ディスク、光ディスク、光磁気ディスク、又は半導体メモリなどのリムーバブルメディア９１１を駆動する。
【０１９７】
以上のように構成されるコンピュータ９００では、CPU９０１が、ROM９０２や記録部９０８に記録されているプログラムを、入出力インターフェース９０５及びバス９０４を介して、RAM９０３にロードして実行することにより、上述した一連の処理が行われる。
【０１９８】
コンピュータ９００(CPU９０１)が実行するプログラムは、例えば、パッケージメディア等としてのリムーバブルメディア９１１に記録して提供することができる。また、プログラムは、ローカルエリアネットワーク、インターネット、デジタル衛星放送といった、有線又は無線の伝送媒体を介して提供することができる。
【０１９９】
コンピュータ９００では、プログラムは、リムーバブルメディア９１１をドライブ９１０に装着することにより、入出力インターフェース９０５を介して、記録部９０８にインストールすることができる。また、プログラムは、有線又は無線の伝送媒体を介して、通信部９０９で受信し、記録部９０８にインストールすることができる。その他、プログラムは、ROM９０２や記録部９０８に、あらかじめインストールしておくことができる。
【０２００】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理(例えば、並列処理あるいはオブジェクトによる処理)も含む。また、プログラムは、１のコンピュータ(プロセッサ)により処理されるものであってもよいし、複数のコンピュータによって分散処理されるものであってもよい。
【０２０１】
なお、本技術の実施の形態は、上述した実施の形態に限定されるものではなく、本技術の要旨を逸脱しない範囲において種々の変更が可能である。
【０２０２】
また、本技術は、以下のような構成をとることができる。
【０２０３】
（１）
所定の規格で規定されたトランスポート層上の複数のトランスポート・プロトコルのうち、特定のトランスポート・プロトコルを利用したサービスのストリームが伝送されているかどうかを示す伝送情報を生成する生成部と、
前記伝送情報を、前記所定の規格に対応した物理層のフレームに配置される第１の制御情報に含めて送信する送信部と
を備える送信装置。
（２）
前記伝送情報は、前記特定のトランスポート・プロトコルに対応した第２の制御情報が伝送されているかどうかを示す情報を含む
（１）に記載の送信装置。
（３）
前記物理層では、グルーピングすることが可能な１又は複数のPLP(Physical Layer Pipe)ごとにデータが伝送されており、
前記伝送情報は、前記PLPのグループであるPLPグループを識別するための情報をさらに含む
（２）に記載の送信装置。
（４）
各PLPは、１又は複数の前記PLPグループに属することができる
（３）に記載の送信装置。
（５）
前記所定の規格は、IP(Internet Protocol)伝送方式に対応しており、
前記第２の制御情報は、IPパケットを格納可能な伝送パケットのペイロードに配置されて伝送される
（２）乃至（４）のいずれかに記載の送信装置。
（６）
前記所定の規格は、IP伝送方式に対応しており、
前記第２の制御情報は、IPパケットに含まれるUDP(User Datagram Protocol)パケットに配置されて伝送される
（２）乃至（４）のいずれかに記載の送信装置。
（７）
前記所定の規格は、ATSC(Advanced Television Systems Committee)3.0であり、
前記複数のトランスポート・プロトコルは、ROUTE(Real-Time Object Delivery over Unidirectional Transport)、及び、MMT(MPEG Media Transport)である
（１）乃至（６）のいずれかに記載の送信装置。
（８）
前記第２の制御情報は、前記ROUTEに対応したシグナリング情報、及び、前記MMTに対応したシグナリング情報を含む
（７）に記載の送信装置。
（９）
前記第１の制御情報は、ブートストラップと、プリアンブルと、データ部から構成される前記物理層のフレームにおける、前記ブートストラップ又は前記プリアンブルに配置される
（７）又は（８）に記載の送信装置。
（１０）
送信装置の送信方法において、
前記送信装置が、
所定の規格で規定されたトランスポート層上の複数のトランスポート・プロトコルのうち、特定のトランスポート・プロトコルを利用したサービスのストリームが伝送されているかどうかを示す伝送情報を生成し、
前記伝送情報を、前記所定の規格に対応した物理層のフレームに配置される第１の制御情報に含めて送信する
ステップを含む送信方法。
（１１）
所定の規格で規定されたトランスポート層上の複数のトランスポート・プロトコルのうち、特定のトランスポート・プロトコルを利用したサービスのストリームが伝送されているかどうかを示す伝送情報であって、前記所定の規格に対応した物理層のフレームに配置される第１の制御情報に含められる前記伝送情報を受信する受信部と、
前記伝送情報に応じて取得される、前記特定のトランスポート・プロトコルに対応した第２の制御情報に基づいて、前記特定のトランスポート・プロトコルを利用したサービスのストリームを処理する各部の動作を制御する制御部と
を備える受信装置。
（１２）
前記伝送情報は、前記第２の制御情報が伝送されているかどうかを示す情報を含む
（１１）に記載の受信装置。
（１３）
前記物理層では、グルーピングすることが可能な１又は複数のPLPごとにデータが伝送されており、
前記伝送情報は、前記PLPのグループであるPLPグループを識別するための情報をさらに含む
（１２）に記載の受信装置。
（１４）
各PLPは、１又は複数の前記PLPグループに属することができる
（１３）に記載の受信装置。
（１５）
前記所定の規格は、IP伝送方式に対応しており、
前記第２の制御情報は、IPパケットを格納可能な伝送パケットのペイロードに配置されて伝送される
（１１）乃至（１４）のいずれかに記載の受信装置。
（１６）
前記所定の規格は、IP伝送方式に対応しており、
前記第２の制御情報は、IPパケットに含まれるUDPパケットに配置されて伝送される
（１１）乃至（１４）のいずれかに記載の受信装置。
（１７）
前記所定の規格は、ATSC3.0であり、
前記複数のトランスポート・プロトコルは、ROUTE、及び、MMTである
（１１）に記載の受信装置。
（１８）
前記第２の制御情報は、前記ROUTEに対応したシグナリング情報、及び、前記MMTに対応したシグナリング情報を含む
（１７）に記載の受信装置。
（１９）
前記第１の制御情報は、ブートストラップと、プリアンブルと、データ部から構成される前記物理層のフレームにおける、前記ブートストラップ又は前記プリアンブルに配置される
（１７）又は（１８）に記載の受信装置。
（２０）
受信装置の受信方法において、
前記受信装置が、
所定の規格で規定されたトランスポート層上の複数のトランスポート・プロトコルのうち、特定のトランスポート・プロトコルを利用したサービスのストリームが伝送されているかどうかを示す伝送情報であって、前記所定の規格に対応した物理層のフレームに配置される第１の制御情報に含められる前記伝送情報を受信し、
前記伝送情報に応じて取得される、前記特定のトランスポート・プロトコルに対応した第２の制御情報に基づいて、前記特定のトランスポート・プロトコルを利用したサービスのストリームを処理する各部の動作を制御する
ステップを含む受信方法。
【符号の説明】
【０２０４】
１  伝送システム，  １０  送信装置，  ２０  受信装置，  ３０  伝送路，  １０１  制御部，  １０２  コンポーネント取得部，  １０４  シグナリング生成部，  １０５  シグナリング処理部，  １０６  パケット生成部，  １０７  物理層フレーム生成部，  １０８  送信部，  ２０１  制御部，  ２０２  受信部，  ２０３  物理層フレーム処理部，  ２０４  パケット処理部，  ２０５  シグナリング処理部，  ９００  コンピュータ，  ９０１  CPU
【図１】
2016208161.tif 000003
【図２】
2016208161.tif 000004
【図３】
2016208161.tif 000005
【図４】
2016208161.tif 000006
【図５】
2016208161.tif 000007
【図６】
2016208161.tif 000008
【図７】
2016208161.tif 000009
【図８】
2016208161.tif 000010
【図９】
2016208161.tif 000011
【図１０】
2016208161.tif 000012
【図１１】
2016208161.tif 000013
【図１２】
2016208161.tif 000014
【図１３】
2016208161.tif 000015
【図１４】
2016208161.tif 000016
【図１５】
2016208161.tif 000017
【図１６】
2016208161.tif 000018
【図１７】
2016208161.tif 000019
【図１８】
2016208161.tif 000020
【図１９】
2016208161.tif 000021
【図２０】
2016208161.tif 000022
【図２１】
2016208161.tif 000023
【図２２】
2016208161.tif 000024
【図２３】
2016208161.tif 000025
【図２４】
2016208161.tif 000026
【図２５】
2016208161.tif 000027
【図２６】
2016208161.tif 000028